(57)【特許請求の範囲】
【請求項１】
データの録画領域が、予め設定された複数のセグメント領域に分割されている録画媒体に対して、設定された所定時間分のデータを常時録画するとともに、通常録画が指示された場合には、通常録画と前記常時録画とを並行して行う録画制御手段を備えたデータ録画再生装置において、
前記録画制御手段は、常時録画の実行に際し、前記所定時間分のデータ録画領域を予め確保することなく、常に一つの空きセグメント領域を確保してその確保したセグメント領域に録画を行い、当該セグメント領域が一杯になった時点で次の一つの空きセグメント領域を確保してその確保したセグメント領域に録画を行う処理を繰り返すことで前記所定時間分の録画を行うとともに、所定時間分を録画した後は、最後のセグメント領域が一杯になった時点で次の一つの空きセグメント領域を確保してその確保したセグメント領域に録画を行う一方、常時録画で使用した最も古い一つのセグメント領域を開放する処理を繰り返すことで前記所定時間分の常時録画を続行し、
前記通常録画と前記常時録画との並行処理では、前記常時録画の処理をそのまま続行するとともに、前記通常録画については、常に一つの空きセグメント領域を確保してその確保したセグメント領域に録画を行い、当該セグメント領域が一杯になった時点で次の一つの空きセグメント領域を確保してその確保したセグメント領域に録画を行う処理を、通常録画の終了まで繰り返すことにより、前記常時録画で確保される空セグメントの位置、及び、前記通常録画で確保される空セグメントの位置が互いに飛び越した状態の録画領域となることを特徴とするデータ録画再生装置。
【請求項２】
前記録画制御手段は、前記セグメント領域に空きがなくなった場合には、前記常時録画で使用している最も古い一つのセグメント領域を開放し、このセグメント領域を通常録画に使用することを特徴とする請求項１に記載のデータ録画再生装置。
【請求項３】
データの録画領域が、予め設定された複数のセグメント領域に分割されている録画媒体に、設定された所定時間分のデータを常時録画するとともに、通常録画が指示された場合には、通常録画と前記常時録画とを並行して行う録画方法であって、
常時録画の実行に際し、前記常時録画を実行する録画制御手段が、常に一つの空きセグメント領域を確保してその確保したセグメント領域に録画を行う第１ステップと、当該セグメント領域が一杯になった時点で次の一つの空きセグメント領域を確保してその確保したセグメント領域に録画を行う第２ステップと、を繰り返すことで前記所定時間分の録画を行い、所定時間分を録画した後は、最後のセグメント領域が一杯になった時点で次の一つの空きセグメント領域を確保してその確保したセグメント領域に録画を行う一方、常時録画で使用した最も古い一つのセグメント領域を開放する第３ステップを繰り返すことで前記所定時間分の常時録画を続行し、
前記通常録画と前記常時録画との並行処理では、前記常時録画の各ステップの処理をそのまま続行するとともに、前記通常録画については、常に一つの空きセグメント領域を確保してその確保したセグメント領域に録画する第４ステップと、当該セグメント領域が一杯になった時点で次の一つの空きセグメント領域を確保してその確保したセグメント領域に録画を行う第５ステップとを、通常録画の終了まで繰り返すことにより、前記常時録画で確保される空セグメントの位置、及び、前記通常録画で確保される空セグメントの位置が互いに飛び越した状態の録画領域となることを特徴とする録画方法。
【請求項４】
請求項３に記載の録画方法の各ステップをコンピュータに実行させるための録画プログラム。
【請求項５】
請求項４に記載の録画プログラムを記録したコンピュータ読み取り可能な記録媒体。
【発明の詳細な説明】
【技術分野】
【０００１】
本発明は、データの録画領域が予め設定された複数のセグメント領域に分割されている録画媒体に、設定された所定時間分のデータを常時録画する常時録画機能を備えたデータ録画再生装置、録画方法、録画プログラム及び記録媒体に関する。
【背景技術】
【０００２】
近時、予め設定された所定時間分のデータを常時録画する常時録画機能を備えた録画装置が提供されている（例えば、特許文献１参照）。常時録画機能とは、録画装置が電源オン状態にあるときに所定時間分（例えば、３０分、１時間、２時間等）の録画を常時行い、常時巻き戻し再生を可能とする機能である。
【０００３】
この録画装置は、ハードディスクを使用領域、未使用領域、常時録画領域に分け、常時録画領域は０個以上のハードディスクデータを記録し、ハードディスクデータ記録単位が一定数を超えた場合に、最も古いハードディスク記録データ形式が自動的に削除されるように０個以上のハードディスクデータ記録単位で構成される循環リスト構造を形成したものである。
【特許文献１】特開２００５−７９８９１号公報
【発明の開示】
【発明が解決しようとする課題】
【０００４】
常時録画機能については、上記従来技術をはじめ、種々の記録方法が提案されているが、いずれも常時録画の開始時に、所定時間分のデータ領域をリングバッファとして予め確保し、そのデータ領域内で循環録画を行うようになっている。つまり、常時録画するために、予め確保した特定のセクタに録画データを書き続けることになるため、特定のセクタが酷使されることになる。そのため、特定のセクタが酷使により壊れることによって、記録媒体自体の寿命も短くなってしまうといった問題があった。
【０００５】
本発明はかかる問題点を解決すべく創案されたもので、その目的は、常時録画の実行に際し、所定時間分のデータ録画領域を予め確保するのではなく、録画状態に応じてその都度一つのセグメント領域を確保しつつ常時録画を行うことで、所定のデータ録画領域のみを集中的に繰り返し使用してしまうことを防止したデータ録画再生装置、録画方法、録画プログラム及び記録媒体を提供することにある。
【課題を解決するための手段】
【０００６】
上記課題を解決するため、本発明のデータ録画再生装置は、データの録画領域が、予め設定された複数のセグメント領域に分割されている録画媒体に対して、設定された所定時間分のデータを常時録画するとともに、通常録画が指示された場合には、通常録画と前記常時録画とを並行して行う録画制御手段を備えたデータ録画再生装置において、前記録画制御手段は、常時録画の実行に際し、前記所定時間分のデータ録画領域を予め確保することなく、常に一つの空きセグメント領域を確保してその確保したセグメント領域に録画を行い、当該セグメント領域が一杯になった時点で次の一つの空きセグメント領域を確保してその確保したセグメント領域に録画を行う処理を繰り返すことで前記所定時間分の録画を行うとともに、所定時間分を録画した後は、最後のセグメント領域が一杯になった時点で次の一つの空きセグメント領域を確保してその確保したセグメント領域に録画を行う一方、常時録画で使用した最も古い一つのセグメント領域を開放する処理を繰り返すことで前記所定時間分の常時録画を続行し、前記通常録画と前記常時録画との並行処理では、前記常時録画の処理をそのまま続行するとともに、前記通常録画については、常に一つの空きセグメント領域を確保してその確保したセグメント領域に録画を行い、当該セグメント領域が一杯になった時点で次の一つの空きセグメント領域を確保してその確保したセグメント領域に録画を行う処理を、通常録画の終了まで繰り返すことにより、前記常時録画で確保される空セグメントの位置、及び、前記通常録画で確保される空セグメントの位置が互いに飛び越した状態の録画領域となることを特徴としている。
【０００７】
また、本発明の録画方法は、データの録画領域が、予め設定された複数のセグメント領域に分割されている録画媒体に、設定された所定時間分のデータを常時録画するとともに、通常録画が指示された場合には、通常録画と前記常時録画とを並行して行う録画方法であって、常時録画の実行に際し、前記常時録画を実行する録画制御手段が、常に一つの空きセグメント領域を確保してその確保したセグメント領域に録画を行う第１ステップと、当該セグメント領域が一杯になった時点で次の一つの空きセグメント領域を確保してその確保したセグメント領域に録画を行う第２ステップと、を繰り返すことで前記所定時間分の録画を行い、所定時間分を録画した後は、最後のセグメント領域が一杯になった時点で次の一つの空きセグメント領域を確保してその確保したセグメント領域に録画を行うとともに、常時録画で使用した最も古い一つのセグメント領域を開放する第３ステップを繰り返すことで前記所定時間分の常時録画を続行し、前記通常録画と前記常時録画との並行処理では、前記常時録画の各ステップの処理をそのまま続行するとともに、前記通常録画については、常に一つの空きセグメント領域を確保してその確保したセグメント領域に録画する第４ステップと、当該セグメント領域が一杯になった時点で次の一つの空きセグメント領域を確保してその確保したセグメント領域に録画を行う第５ステップとを、通常録画の終了まで繰り返すことにより、前記常時録画で確保される空セグメントの位置、及び、前記通常録画で確保される空セグメントの位置が互いに飛び越した状態の録画領域となることを特徴としている。
【０００８】
具体的に説明すると、録画媒体のデータ録画領域に、空きセグメント領域として例えばセグメント１，セグメント２，・・・，セグメント１０，の１０個のセグメント領域が存在しているものとし、一つのセグメント領域には常時録画モードで例えば１５分のデータが録画できるものとし、常時録画の所定時間が１時間であったとすると、録画制御手段は、まず、最初の空きセグメント領域であるセグメント１を確保し、このセグメント１にデータの録画（常時録画）を行う。そして、セグメント１が一杯になった時点で次の一つの空きセグメント領域であるセグメント２を確保し、このセグメント２にデータの録画（常時録画）を行う。そして、セグメント２が一杯になった時点で次の一つの空きセグメント領域であるセグメント３を確保し、このセグメント３にデータの録画（常時録画）を行う。そして、セグメント３が一杯になった時点で次の一つの空きセグメント領域であるセグメント４を確保し、このセグメント４にデータの録画（常時録画）を行う。この後、セグメント４が一杯になった時点で、録画媒体には常時録画の所定時間である１時間分のデータが録画されたことになる。ここまでは、従来の常時録画も同じである。
【０００９】
ここで、従来の常時録画では、次に最初のセグメント１に戻って常時録画を上書きで継続するのであるが、本発明では、セグメント４が一杯になった時点で次の一つの空きセグメント領域であるセグメント５を確保し、このセグメント５にデータの録画（常時録画）を行う。このとき、常時録画で使用した最も古い一つのセグメント領域であるセグメント１を開放する。すなわち、新たな空きセグメント領域を確保する一方で、常時録画で使用した最も古いセグメント領域であるセグメント１をこの時点で開放することで、常時録画の所定時間である１時間を常に確保するようにしている。従って、この後に例えば通常録画が行われた場合には、このセグメント１も空き領域として扱われ、通常録画のデータ録画領域として必要に応じ使用されることになる。
【００１０】
以後同様にして、セグメント５が一杯になった時点で次の一つの空きセグメント領域であるセグメント６を確保し、このセグメント６にデータの録画（常時録画）を行う一方、常時録画で使用した最も古いセグメント領域であるセグメント２を開放する、といった処理を順次繰り返すことになる。これにより、常時録画のデータ録画領域が、録画媒体の物理的なデータ録画領域内において順次移動することになり、特定のセクタのみを繰り返し集中して使用してしまうといった状態を回避することが可能となる。
【００１１】
ここで、本発明では、録画制御手段は、通常録画が指示された場合には、通常録画と常時録画とを並行して行うようになっている。通常録画も、常時録画とは録画モードが異なるだけで、録画方法は上記常時録画と基本的に同じである。すなわち、通常録画が指示されると、録画制御手段は、その時点での空きセグメント領域を一つ確保してそのセグメント領域にデータを録画し、そのセグメント領域が一杯になった時点で次の一つの空きセグメント領域を確保してそのセグメント領域にデータの録画を行う、といった処理を通常録画が終了するまで順次行うことになる。
【００１２】
従って、通常録画と常時録画とを並行して行った場合には、録画されるセグメント領域が互いに飛び越し状態となるが、各セグメント領域は、録画媒体の情報ファイル領域（これについては後述する。）において個々に管理されるため、飛び越し状態となっても、通常録画で使用されたセグメント領域と常時録画で使用されたセグメント領域とを区別して認識することができる。従って、録画制御手段は、この情報ファイル領域を参照することで、通常録画と常時録画の録画と再生とを個別に制御することが可能である。
【００１３】
また、本発明では、録画制御手段は、通常録画と常時録画を同時に実行している場合において、セグメント領域に空きがなくなった場合には、常時録画で使用している最も古い一つのセグメント領域を開放し、このセグメント領域を通常録画に使用する。すなわち、この場合には通常録画を優先して行う構成としている。従って、このような場合には、常時録画される所定時間が短くなるが、例えばこの時点でユーザに警告を出して適当な対応処置を促すようにしておけば、特に問題となることはない。
【００１４】
なお、上記の録画方法は、その各ステップをコンピュータに実行させるための録画プログラムとして提供することが可能であり、この録画プログラムは、コンピュータ読み取り可能な記録媒体に記録して提供することが可能である。ここで、記録媒体としては、データ録画再生装置にプログラム読み取り装置を内蔵し、そこに記録媒体を挿入することで読み取り可能なプログラムメディアであってもよい。このようなプログラムメディアとしては、フロッピディスクやハードディスク等の磁気ディスク、ＣＤ−ＲＯＭ、ＭＯ、ＤＶＤ−ＲＯＭ等のディスク系、ＩＣカードや光カード等のカード系、マスクＲＯＭやＥＥＰＲＯＭ、フラッシュメモリ等の半導体メモリ、などがある。
【発明の効果】
【００１５】
本発明のデータ録画再生装置によれば、常時録画の実行に際し、所定時間分のデータ録画領域を予め確保することなく、常に一つの空きセグメント領域を確保してその確保したセグメント領域に録画を行い、当該セグメント領域が一杯になった時点で次の一つの空きセグメント領域を確保してその確保したセグメント領域に録画を行うといった処理を繰り返すことで所定時間分の録画を行うとともに、新たな空きセグメント領域を確保する一方で、常時録画で使用した最も古いセグメント領域を開放することで、常時録画の所定時間を常に確保するようにしている。これにより、常時録画のデータ録画領域が、録画媒体の物理的なデータ録画領域内において順次移動することになり、特定のセクタのみを繰り返し集中して使用してしまうといった状態を回避することができる。従って、特定のセクタが酷使により壊れることによって、録画媒体自体の寿命が短くなってしまうといった事態の発生を防止することができる。
【発明を実施するための最良の形態】
【００１６】
以下、本発明の実施の形態について、図面を参照して説明する。
【００１７】
図１は、本発明のデータ録画再生装置の一実施形態を示すＨＤ（ハードディスク）レコーダ１の電気的構成を示すブロック図である。ただし、本発明のデータ録画再生装置は、このようなＨＤレコーダに限定されるものではなく、例えばＨＤＤ内蔵のＤＶＤレコーダ等を含む一般のデジタル映像機器や光ディスク装置等に適用可能である。
【００１８】
図１に示すＨＤレコーダ１は、受信部１１、入力制御部１２、Ａ／Ｄ変換部１３、コントローラ１４、ＨＤドライブ１５、Ｄ／Ａ変換部１６、出力制御部１７、入力部１８、メモリ部２０等を備えて構成されている。
【００１９】
入力部１８は、スイッチ、ボタンあるいはリモコン等から構成され、ユーザの操作内容に応じた信号をコントローラ１４へ出力するものである。これにより、ユーザは、種々のデータをＨＤレコーダ１に入力することができ、ＨＤレコーダ１を操作して使用することができる。
【００２０】
受信部１１は、チューナや分離器を備えて構成されている。受信部１１は、アンテナ６を介して番組の放送信号を受信し、この放送信号を入力制御部１２へ入力する。放送信号はアナログ信号またはデジタル信号であり、音声信号と映像信号とを含んで構成されている。
【００２１】
入力制御部１２は、受信部１１で受信された放送信号から音声信号と映像信号を抽出する。Ａ／Ｄ変換部１３は、上記放送信号がアナログ信号である場合には入力制御部１２で抽出された映像信号及び音声信号をＭＰＥＧ２（Ｍｏｔｉｏｎ  ＰｉｃｔｕｒｅＥｘｐｅｒｔ  Ｇｒｏｕｐ  ２）によりエンコード（圧縮）してコントローラ２４に出力する。一方、上記放送信号がデジタル信号である場合には、映像信号及び音声信号は既にＭＰＥＧ２でエンコードされているので、これら映像信号及び音声信号をそのままコントローラ１４に送信する。
【００２２】
コントローラ１４は、ＣＰＵ１４ａ、ＲＡＭ１４ｂ、ＲＯＭ１４ｃを備えて構成されている。コントローラ１４は、図示しないハードディスク（録画媒体）に対する音声信号及び映像信号の読み取りや書き込みをはじめとする、ＨＤレコーダ１の各構成要素を制御する。
【００２３】
ＲＯＭ１４ｃには、ＨＤレコーダ１全体を制御するためのプログラムが格納されている。ＣＰＵ１４ａはＲＯＭ１４ｃに格納されたプログラムや入力部１８からの信号に従い、ＨＤレコーダ１の各構成要素を制御するための演算を行う。ＲＡＭ１４ｂはＣＰＵ１４ａが演算を行うための作業領域として動作する。
【００２４】
ＨＤドライブ１５はコントローラ１４とともに読み取り手段及び書き込み手段を形成する構成要素であり、記憶媒体（録画媒体）であるハードディスクと、ハードディスクに記憶（以下「録画」ともいう。）されているデータ（映像信号及び音声信号）の読み取り（以下「録画再生」ともいう。）、及びハードディスクへのデータ（映像信号及び音声信号）の書き込み（以下「録画」ともいう。）を行うためのヘッドとを備えて構成されている。
【００２５】
Ｄ／Ａ変換部１６は、ハードディスクに録画された映像信号及び音声信号等のデータを再生する際、コントローラ１４を介してこれらの信号をデコード（伸張）し、アナログ信号に変換して出力制御部１７に出力する。さらに出力制御部１７は、Ｄ／Ａ変換部１６で変換された映像信号及び音声信号をテレビモニタや受像管（ＣＲＴ）やスピーカといった図示しない出力装置へ出力する。
【００２６】
図２は、ＨＤドライブ１５に記憶される上記データ及び当該データの記憶位置についての情報等の記憶内容を模式的に示した図である。
【００２７】
ＨＤドライブ１５は、映像信号及び音声信号等のデータが記録（録画）されるデータ録画領域であるセグメント領域５１、ファイルの情報ファイルが記憶される情報ファイル領域５２、及びシステム情報ファイルが記憶されるシステム情報領域５３に分割されている。
【００２８】
セグメント領域５１は、本実施形態では５００のセグメント領域（セグメント１〜５００）に分割されている。一つのセグメント領域は、例えば８メガバイト程度の容量に分割されている。
【００２９】
情報ファイル領域５２は、本実施形態ではファイル１〜ファイル５０の情報ファイルが記憶できるように、５０に分割されている。情報ファイル領域５２には、ファイル１の情報ファイルから順に、所定時間ごとに情報ファイルが記憶されていく。そして、５０の領域のすべてに情報ファイルが記憶されると、古いものから、最新の情報ファイルに上書きされるようになっている。
図３は、システム情報領域５３に記憶されるシステム情報ファイル、及び情報ファイル領域５２に記憶されるファイルの情報ファイルに含まれる情報を模式的に示した図である。
【００３０】
ファイル１〜ファイル５０の各ファイルの情報ファイルには、図３に示すように、ファイル名、ファイルサイズ、録画時間、録画品質、録画ポイント、及び使用セグメントが含まれる。具体的には、情報ファイルには、その時点で録画されているのが、セグメント領域５３内のどのセグメント（「使用セグメント」）の、当該セグメント内のどのポイント（「録画ポイント」）から、どの位の長さ（「録画時間」）か、という情報が含まれる。また、ファイル名は、当該セグメント内において録画中のファイルに対応するファイル名であり、ファイルサイズは当該ファイルのサイズである。ファイルサイズは、録画時間と録画品質によって変化する。録画品質は、ＨＤレコーダ１において適宜決定することができ、入力部８に入力される情報に従って変更も可能である。録画品質としては、デジタル放送で送信されてきた映像や音声などをそのままの形でデジタル録画するＴＳ録画と、ＰＳ（ＸＰ／ＳＰ／ＬＰ／ＥＰ等）録画がある。
【００３１】
なお、ＨＤレコーダ１において再生動作が行なわれている場合に作成されるファイルの情報ファイルは、上記した録画ポイントの代わりに、その時点で再生しているポイント（「再生ポイント」）が含まれる。
【００３２】
また、ＨＤレコーダ１では、録画が行なわれている際には、所定時間ごとに、ファイルの情報ファイルが作成されるが、録画と同時に再生が行なわれている場合には、録画についてのファイルの情報ファイルと再生についてのファイルの情報ファイルとが、作成される。
【００３３】
システム情報ファイルは、図３に示すように、情報ファイル領域５２における、その時点での、録画についての情報ファイルを特定するための録画ファイル番号、及び再生についての情報ファイルを特定するための再生ファイル番号を含んでいる。
【００３４】
ここで、ユーザ操作によって開始される従来の通常録画（録画予約も含む）におけるコントローラ１４の録画処理について、簡単に説明する。
【００３５】
ユーザによって入力部１８より録画開始指示が入力されると、コントローラ１４は、その時点で一つの空きセグメント（例えば、セグメント１）を確保し、このセグメント１にデータの録画を行う。そして、セグメント１が一杯になった時点で次の一つの空きセグメント（例えばセグメント２）を確保し、このセグメント２にデータの録画を行う。このようにして、一つのセグメント一杯まで録画を行うと、その時点で次の空きセグメントを確保することを繰り返すことによって、予め設定された録画時間分の通常録画を行うことになる。すなわち、通常録画では、セグメント単位でその都度新たな一つのセグメントを確保しつつ、録画を行うことになる。
【００３６】
上記構成において、本実施形態のＨＤレコーダ１は、上記通常録画とは別に、常時録画機能を備えている。常時録画機能とは、ＨＤレコーダ１が電源オン状態にあるときに所定時間分（例えば、３０分、１時間、２時間等）の録画を常時行い、常時巻き戻し再生を可能とする機能である。すなわち、ハードディスクの所定のデータ記録領域に外部から入力されるデータ（放送信号）を所定時間分一時的に録画しつつ、録画した当該データに対して巻き戻し再生を行う機能である。ここで、上記所定時間は、予め提供されている複数時間の中らユーザが選択可能となっている。
【００３７】
従来、この常時録画機能は、常時録画の開始時に、所定時間分のデータ録画領域をリングバッファとして予め確保し、そのデータ録画領域内で循環的に録画を行うようになっている。これに対し、本実施形態のＨＤレコーダ１では、常時録画の実行に際し、所定時間分のデータ録画領域を予め確保することなく、上記通常録画と同様に、常に一つの空きセグメント領域を確保してその確保したセグメント領域に録画を順次行っていく方式を採用している。
【００３８】
以下、本実施形態においてコントローラ１４が実施する常時録画動作について、図４に示すフローチャート、及び図５に示す説明図を参照して説明する。
【００３９】
ここで、ハードディスクのデータ録画領域に、空きセグメント領域として、図５（ａ）に示すように例えばセグメント１，セグメント２，・・・，セグメント１０，の１０個のセグメント領域が存在しているものとし、一つのセグメント領域には常時録画モードで例えば１５分のデータが録画できるものとし、常時録画の所定時間が１時間であったとする。因みに、説明の都合上、理解を簡単なものとするために、セグメント１１からセグメント５００まではすでに通常録画によってデータが録画されているものとする。すなわち、ここではセグメント１〜１０のみに着目して常時録画動作を説明するものとする。
【００４０】
この状態においてＨＤレコーダ１の電源がオンされると、コントローラ１４は、まず、最初の空きセグメント領域であるセグメント１を確保し（ステップＳ１）、このセグメント１にデータの録画（常時録画）を行う（ステップＳ２）。この状態を図５（ａ）に示す。
【００４１】
そして、セグメント１が一杯になった時点（ステップＳ３でＹｅｓと判断）で、所定時間分のデータが録画できたか否かを確認し（ステップＳ４）、所定時間分のデータが録画されていなければ（ステップＳ４でＮｏと判断されれば）、ステップＳ１に戻って次の一つの空きセグメント領域であるセグメント２を確保し、このセグメント２にデータの録画（常時録画）を行う（ステップＳ２）。この状態を図５（ｂ）に示す。図５（ｂ）中において、斜線を付したセグメントが常時録画のデータを一杯まで録画したセグメントである。
【００４２】
そして、セグメント２が一杯になった時点（ステップＳ３でＹｅｓと判断）で、所定時間分のデータが録画できたか否かを確認し（ステップＳ４）、所定時間分のデータが録画されていなければ（ステップＳ４でＮｏと判断されれば）、ステップＳ１に戻って次の一つの空きセグメント領域であるセグメント３を確保し、このセグメント３にデータの録画（常時録画）を行う（ステップＳ２）。この状態を図５（ｃ）に示す。
【００４３】
そして、セグメント３が一杯になった時点（ステップＳ３でＹｅｓと判断）で、所定時間分のデータが録画できたか否かを確認し（ステップＳ４）、所定時間分のデータが録画されていなければ（ステップＳ４でＮｏと判断されれば）、ステップＳ１に戻って次の一つの空きセグメント領域であるセグメント４を確保し、このセグメント４にデータの録画（常時録画）を行う（ステップＳ２）。この状態を図５（ｄ）に示す。
【００４４】
この後、セグメント４が一杯になった時点（ステップＳ３でＹｅｓと判断）で、所定時間分のデータが録画できたか否かを確認する（ステップＳ４）。この場合、図５（ｅ）に示すように、セグメント１〜セグメント４の４つのセグメントに常時録画のデータが録画されており、所定時間分である１時間分の録画ができている。
【００４５】
そして、この場合には、コントローラ１４は、次の一つの空きセグメント領域であるセグメント５を確保する（ステップＳ５）。その一方で、コントローラ１４は、常時録画で使用した最も古い一つのセグメント領域であるセグメント１を開放する（ステップＳ６）。この状態を図５（ｆ）に示す。すなわち、新たな空きセグメント領域を確保する一方で、常時録画で使用した最も古いセグメント領域であるセグメント１をこの時点で開放することで、常時録画の所定時間である１時間を超えないように（すなわち、１時間分のデータを保つように）している。従って、この後に例えば通常録画が行われた場合には、このセグメント１も空き領域（すなわち、録画可能領域）として扱われ、通常録画の録画領域として必要に応じ使用されることになる。この後、コントローラ１４は、このセグメント５にデータの録画（常時録画）を行う（ステップＳ７）。
【００４６】
そして、セグメント５が一杯になった時点（ステップＳ８でＹｅｓと判断）で、ステップＳ５に戻って、次の一つの空きセグメント領域であるセグメント６を確保する。その一方で、コントローラ１４は、常時録画で使用した最も古い一つのセグメント領域であるセグメント２を開放する（ステップＳ６）。この状態を図５（ｇ）に示す。すなわち、新たな空きセグメント領域を確保する一方で、常時録画で使用した最も古いセグメント領域であるセグメント２をこの時点で開放することで、常時録画の所定時間である１時間を超えないように（すなわち、１時間分のデータを保つように）している。従って、この後に例えば通常録画が行われた場合には、このセグメント２も空き領域として扱われ、通常録画の録画領域として必要に応じ使用されることになる。この後、コントローラ１４は、このセグメント６にデータの録画（常時録画）を行う（ステップＳ７）。
【００４７】
以後同様にして、セグメント６が一杯になった時点で次の一つの空きセグメント領域であるセグメント７を確保し、このセグメント７にデータの録画（常時録画）を行う一方、常時録画で使用した最も古いセグメント領域であるセグメント３を開放する、といった処理を順次繰り返すことになる。
【００４８】
これにより、常時録画のデータ録画領域が、ハードディスクの物理的なデータ録画領域内において順次移動することになり、特定のセクタのみを繰り返し集中して使用してしまうといった状態を回避することが可能となる。すなわち、図５に示す例で言えば、常時録画のためのデータ録画領域が、最初はセグメント１〜４の領域（図５（ｅ））であったのが、その後、セグメント２〜５に移動（図５（ｆ））し、さらにセグメント３〜６に移動（図５（ｇ））している。
【００４９】
なお、このような常時録画動作は、ＨＤレコーダ１の電源がオフされるまで継続されることになる。
【００５０】
上記常時録画動作の説明は、通常録画を行っていないことを前提とした説明となっている。しかし、コントローラ１４は、通常録画が指示された場合には、通常録画と上記の常時録画とを並行して行うことになる。この場合、通常録画はＴＳ録画、常時録画はＰＳ録画である。上記したように、通常録画も常時録画もセグメント単位で順次録画していくことは同じである。従って、常時録画動作自体は上記図４に示すフローチャートの手順に従って処理されることになる。ただ、異なるのは、ステップＳ１及びステップＳ５で新たな空きセグメント領域を確保するときに、確保される空きセグメントの位置が必ずしも物理的に連続しないことである。
【００５１】
例えば、図５（ｅ）に示す状態においてセグメント４に常時録画を行っているときに、通常録画が指示されると、コントローラ１４は、次の空きセグメント領域であるセグメント５を確保し、このセグメント５に通常録画を行うことになる。そして、この状態のときにセグメント４が一杯になった場合、コントローラ１４は、セグメント５を飛ばし、次の空きセグメント領域であるセグメント６を常時録画用として確保することになる。従って、このときの常時録画用として確保されたデータ記録領域は、図５（ｆ）のセグメント２、セグメント３、セグメント４、セグメント５という物理的に連続した領域とは異なり、セグメント２、セグメント３、セグメント４、セグメント６という物理的に飛び越した状態の常時録画領域となる。
【００５２】
このように、通常録画と常時録画とを並行して行った場合には、録画されるセグメント領域が互いに飛び越し状態となるが、各セグメント１〜５００は、ハードディスクの情報ファイル領域５２において個々に管理されるため、飛び越し状態となっても、通常録画で使用されたセグメント領域と常時録画で使用されたセグメント領域とを区別して認識することができる。従って、コントローラ１４は、この情報ファイル領域５２の情報を参照することで、通常録画と常時録画の録画と再生とを個別に制御することが可能である。
【００５３】
また、本実施形態では、コントローラ１４は、通常録画と常時録画を同時に実行している場合において、セグメント領域に空きがなくなった場合には、常時録画で使用している最も古い一つのセグメント領域を開放し、このセグメント領域を通常録画に使用するようにしている。すなわち、この場合には通常録画を優先して行う構成としている。従って、このような場合には、常時録画される所定時間が短くなる（例えば、１時間が４５分となり、３０分となる）が、例えばこの時点でユーザに警告を出して適当な対応処置（過去のデータを消去して空きセグメント領域を増やすような措置）を促すようにしておけば、常時録画による巻き戻し再生時間は短くなるものの、特に問題となることはない。警告を出す手法としては、出力制御部１７に接続されているテレビモニタ等の画面隅に警告メッセージを表示するようにしてもよい。
【図面の簡単な説明】
【００５４】
【図１】本発明のデータ録画再生装置の一実施形態を示すＨＤ（ハードディスク）レコーダの電気的構成を示すブロック図である。
【図２】データ及び当該データの記憶位置についての情報等を記憶するＨＤドライブでの記憶内容を模式的に示した図である。
【図３】システム情報領域に記憶されるシステム情報ファイル、及び情報ファイル領域に記憶されるファイルの情報ファイルに含まれる情報を模式的に示した図である。
【図４】コントローラが実施する常時録画動作を示すフローチャートである。
【図５】コントローラが実施する常時録画動作を説明するための図である。
【符号の説明】
【００５５】
１  ＨＤ（ハードディスク）レコーダ
１１  受信部
１２  入力制御部
１３  Ａ／Ｄ変換部
１４  コントローラ
１５  ＨＤドライブ
１６  Ｄ／Ａ変換部
１７  出力制御部
１８  入力部
２０  メモリ部
【図１】
0004543264.tif 000002
【図２】
0004543264.tif 000003
【図３】
0004543264.tif 000004
【図４】
0004543264.tif 000005
【図５】
0004543264.tif 000006